【誤訳訂正書】
【提出日】平成22年6月15日(2010.6.15)
【誤訳訂正１】
【訂正対象書類名】特許請求の範囲
【訂正対象項目名】全文
【訂正方法】変更
【訂正の内容】
【特許請求の範囲】
【請求項１】
検索リスト順の露出管理をする露出管理システムの動作方法において、
キーワード及び前記キーワードに対応する検索リスト順を格納するための検索情報データベースを記憶装置に保持する段階と、
前記格納されるキーワードの中から選定された所定個数のキーワードを前記記憶装置の所定の広告レコードに記録する段階と、
前記検索リスト順の表示に関する露出情報をネットワークインターフェイスが受信する段階と、前記受信された露出情報を、前記検索リスト順と連関する各広告レコードに前記記憶装置が記録する段階と、を含み、一つ以上の前記広告レコードを広告グループに連関させる段階と、
所定の検索の要請のために端末から入力されたキーワードに対応する検索リスト順を、前記検索情報データベースを参照して抽出する段階と、
前記入力されたキーワードと関連する広告レコードを参照し、前記抽出された検索リスト順が表示されるようにプロセッサが制御する段階と、
前記広告レコードに格納される露出情報に対する調整事項が発生する場合、前記露出情報の一部または全部を変更する変更要素データをアドバタイザーから前記ネットワークインターフェイスが受信して、前記記憶装置が前記広告グループに記録する段階と、
前記記録された変更要素データに基づいて、前記広告グループと連関する全ての前記広告レコードの露出情報の少なくとも一部を前記プロセッサが一括調整する段階と、
を含み、
前記広告レコードは、前記検索リスト順が表示される広告露出位置に関する等級順位情報を含み、
前記抽出された検索リスト順が表示されるように制御する前記段階は、
前記広告露出位置での所定入札処理を行い、前記入札処理の結果によって、前記抽出された検索リスト順の表示が可能であるか否かを判断する段階を含むことを特徴とする露出管理システムの動作方法。
【請求項２】
前記露出情報は、前記検索リスト順の表示時間帯域に関する情報、前記検索リスト順の露出対象に関する情報、前記検索リスト順に対する前記検索者の許容クリック数に関する情報の何れか一つ以上であることを特徴とする請求項１に記載の露出管理システムの動作方法。
【請求項３】
前記露出対象に関する情報は、前記検索リスト順が表示される地域情報、年齢情報、性別情報の何れか一つ以上に関する情報を含み、
前記抽出された検索リスト順が表示されるように前記プロセッサが制御する前記段階は、所定の検索者に対する認証処理のための個人情報を検索エンジンの使用者情報データベースに保持する段階と、
前記検索者によって前記検索の要請が前記端末から発生する場合、前記検索エンジンの使用者情報データベースに保持された前記検索者の個人情報を識別する段階と、
前記プロセッサが前記識別された個人情報を前記露出対象に関する情報と比較し、前記検索リスト順の表示を、前記検索者の地域情報、年齢情報、性別情報の一つ以上を基準として制限する段階と、
を含むことを特徴とする請求項２に記載の露出管理システムの動作方法。
【請求項４】
前記広告レコードは、前記抽出された検索リスト順の表示と連関する所定の第１の単位クリック費用及び露出対比クリック率に関する情報を含み、
前記抽出された検索リスト順が表示されるように前記プロセッサが制御する前記段階は、
前記端末から前記検索の要請のために入力されたキーワードに対応して、抽出された一つ以上の前記検索リスト順の中で、前記第１の単位クリック費用及び露出対比クリック率に基づいて所定個の検索リスト順を前記プロセッサが選別し、前記検索リスト順に対する優先抽出の手順及び広告露出の位置を決定する段階と、
前記選別された検索リスト順を、前記第１の単位クリック費用及び露出対比クリック率を考慮して、整列させる段階と、
を含むことを特徴とする請求項１に記載の露出管理システムの動作方法。
【請求項５】
前記広告レコードは、前記抽出された検索リスト順の表示と連関する所定の第１の単位クリック費用情報を含み、
前記抽出された検索リスト順が表示されるように前記プロセッサが制御する前記段階は、
位置定義ユニットが前記広告露出位置を一つ以上の単位表示ゾーンに区切り、検索画面の最上端から所定個数の前記単位表示ゾーンを定義する段階と、
前記区切られた単位表示ゾーンの中で、前記等級順位情報に相当する単位表示ゾーンを識別する段階と、
前記広告レコードへの単位クリック費用の入力に応じて、前記識別された単位表示ゾーンと連関する所定の入札フィールドに、前記第１の単位クリック費用を記録し、前記第１の単位クリック費用と、前記入札フィールドに記録された前記位表示ゾーンと連関する他の検索リスト順の第２の単位クリック費用との大きさを比較して、一つの単位クリック費用を落札させる段階と、
前記入札フィールドでの前記入札処理によって、前記第１の単位クリック費用が落札される場合、落札された前記第１の単位クリック費用と連関する検索リスト順に、前記識別された単位表示ゾーンでの露出権限が付与されるようにする段階と、
を含むことを特徴とする請求項１に記載の露出管理システムの動作方法。
【請求項６】
前記入札処理は、前記入札フィールドへの前記第１の単位クリック費用の記録に連動して行い、前記入札フィールドに記録される一番大きい数値を保有する単位クリック費用を落札させることを特徴とする請求項５に記載の露出管理システムの動作方法。
【請求項７】
前記広告レコードは、所定の単位クリック費用に関する情報を含み、
前記抽出された検索リスト順が表示されるように前記プロセッサが制御する前記段階は、前記広告露出位置に表示される検索リスト順に対する所定検索者のクリック選択をネットワークインターフェイスが受信し、前記検索者により実際の接続が求められる検索リスト順を認知する段階と、
前記クリック選択に相応して、前記検索リスト順と連関する単位クリック費用情報を課金情報として、前記記憶装置の前記広告グループに記録する段階と、
を含むことを特徴とする請求項１に記載の露出管理システムの動作方法。
【請求項８】
前記抽出された検索リスト順が表示されるように前記プロセッサが制御する前記段階は、
所定の検索エンジンと連関するチャンネル情報を入力され、前記記憶装置の前記検索リスト順の抽出に関与する特定の広告レコードに記録する段階と、
前記検索の要請が生成された検索エンジンを認知し、前記認知された検索エンジンと連関するチャンネル情報を記録している広告レコードを識別し、前記キーワードに対応する検索リスト順を前記検索の結果として前記検索エンジン上に提供する段階と、
を含むことを特徴とする請求項１に記載の露出管理システムの動作方法。
【請求項９】
検索リスト順の露出管理をする露出管理システムの動作方法において、
前記検索リスト順の表示と関連する露出情報をネットワークインターフェイスが受信して、記憶装置の前記検索リスト順と連関する広告レコードに記録する段階と、
一つ以上の前記広告レコードを広告グループに連関させる段階と、
前記検索リスト順の表示終了の時点を認知する所定の広告終了の条件を前記ネットワークインターフェイスが受信して、前記広告グループに記録する段階と、
検索者の検索の要請に応じて、前記露出情報に基づく所定の検索リスト順を前記検索者の端末に提供する段階と、
前記提供された検索リスト順に対する前記検索者のクリック選択をネットワークインターフェイスが受信する段階として、前記クリック選択と連関して生成された所定の広告執行情報を前記広告グループに前記記憶装置が記録する段階と、
前記記録された広告執行情報が、前記広告終了の条件を満足するかどうかをプロセッサが判断する段階と、
前記判断の結果、前記広告執行情報が、前記広告終了の条件を満足する場合、前記広告グループに連関した前記広告レコードによる検索リスト順の表示を一括遮断する段階と、を含むことを特徴とする露出管理システムの動作方法。
【請求項１０】
前記広告執行情報は、前記検索リスト順に対する前記検索者のクリック選択によって発生する課金費用の累積費用情報であり、
前記広告グループに所定の広告終了の条件を前記記憶装置が記録する前記段階は、
前記広告終了の条件として、前記広告グループに割り当てられる所定の予算金データを記録し、
前記広告終了の条件を満足するかどうかを判断する前記段階は、
前記累積費用情報が、前記予算金データに達しているか否かを判断することを特徴とする請求項９に記載の露出管理システムの動作方法。
【請求項１１】
前記広告執行情報は、前記検索リスト順に対する前記検索者のクリック選択によって発生するクリック数の累積クリック数情報であり、
前記広告グループに所定の広告終了の条件を前記記憶装置が記録する前記段階は、
前記広告終了の条件として、前記広告グループに割り当てられる所定の限界クリック数データを記録し、
前記広告終了の条件を満足するかどうかを前記プロセッサが判断する前記段階は、
前記累積クリック数情報が、前記限界クリック数に達しているか否かを判断することを特徴とする請求項９に記載の露出管理システムの動作方法。
【請求項１２】
検索リスト順の露出管理をする露出管理システムの動作方法において、
記憶装置の広告レコードは、前記検索リスト順が表示される所定検索エンジンに関するチャンネル情報を保持し、
前記検索リスト順の抽出の原因になる第１のキーワードを、前記記憶装置の所定の広告レコードに記録する段階と、
前記検索リスト順の表示に関する露出情報をネットワークインターフェイスが受信する段階と、前記受信された露出情報を、該当検索リスト順と連関する各広告レコードに前記記憶装置が記録する段階と、を含む、一つ以上の前記広告レコードを広告グループに連関させる段階と、
前記広告グループに所定の検索モードを記録する段階と、
前記チャンネル情報により特定される検索エンジンでの検索の要請のために端末から入力される第２のキーワードを識別する段階と、
前記記録された検索モードに基づいて、前記識別された第２のキーワードと前記第１のキーワードとの連関性の有無をプロセッサが判断する段階と、
前記判断の結果、前記連関性が有効である場合、前記広告レコードを参照した前記検索リスト順を抽出する段階と、
前記広告グループに所定の変更要素データを記録する段階と、
前記記録された変更要素データに基づいて、前記広告グループと連関する少なくとも一部の前記広告レコードの露出情報を前記プロセッサが一括調整する段階と、
を含み、
前記検索モードは、前記第２のキーワードが、前記第１のキーワードと同一の場合、連関性が有効であると判断する基本検索、前記第２のキーワードのカテゴリが、前記第１のキーワードのカテゴリと同一である場合、連関性が有効であると判断する拡張検索、前記第２のキーワードに前記第１のキーワードが含まれる場合、連関性が有効であると判断する構文検索の何れか一つであることを特徴とする露出管理システムの動作方法。
【請求項１３】
検索リスト順の露出管理方法において、
前記検索リスト順の抽出及び前記抽出された検索リスト順が表示される位置に関する露出情報の記録のための広告フィールドを記憶装置に保持する段階と、
一つ以上の前記広告フィールドを連関し、前記検索リスト順が表示される期間に関する広告持続情報の記録のための前記広告グループを前記記憶装置に保持する段階と、
一つ以上の前記広告グループを連関し、前記検索リスト順が表示される露出対象に関する選定情報の記録のためのキャンペーンを保持する段階と、
一つ以上の前記キャンペーンを連関し、前記検索リスト順の表示と関連する金額情報の記録のためのアドバタイザー口座を保持する段階と、
前記キャンペーンが含むチャンネルに関する情報によって特定される検索エンジンでの検索の要請に応じて、前記選定情報、前記広告持続情報、及び前記露出情報に基づく前記検索リスト順を、前記検索の要請を発生した検索者に提供する段階と、
前記提供された検索リスト順に対する前記検索者のクリック選択によって発生する所定の課金を、前記金額情報を用いて決済するようにする段階と
前記広告グループは、検索リスト順の表示の許容に関する選択情報をさらに含み、前記広告グループと連関する広告フィールドに対する広告の開始または中止を一括的に制御する段階と、を含み、
前記選定情報は、露出対象の地域、年齢、性別、チャンネルに関する情報を含むことを特徴とする露出管理システムの動作方法。
【請求項１４】
請求項１ないし請求項１３の何れか１項の方法を実行させるためのプログラムを記録したコンピュータ読み取り可能な記録媒体。
【請求項１５】
検索リスト順の露出管理システムにおいて、
前記検索リスト順の表示と関連する露出情報を記録するための記憶装置の広告レコードと、
前記露出情報をネットワークインターフェイスが受信し、前記受信された露出情報を、該当検索リスト順と連関する各広告レコードに前記記憶装置が記録する、一つ以上の前記広告レコードを連関する広告グループと、
前記広告グループに所定の広告終了の条件を記録する広告条件入力ユニットと、
端末からの検索者の検索の要請に応じて、前記露出情報に基づく所定の検索リスト順を前記検索者の端末に提供する結果提供ユニットと、
前記提供された検索リスト順に対する前記検索者のクリック選択を前記ネットワークインターフェイスが受信し、前記クリック選択と連関して生成された所定の広告執行情報を前記広告グループに記録する執行情報生成ユニットと、
プロセッサが前記記録された広告執行情報と前記広告終了の条件とを比較し、前記広告執行情報が、前記広告終了の条件を満足する場合、前記広告グループと連関する前記広告レコードによる検索リスト順の提供を中断させる動作制御ユニットと、を含み、
前記広告グループに所定の変更要素データを前記記憶装置が記録し、前記記録された変更要素データに基づいて、前記広告グループと連関する少なくとも一部の前記広告レコードの露出情報を前記プロセッサが一括調整することを特徴とする露出管理システム。
【請求項１６】
前記広告条件入力ユニットは、前記広告終了の条件として、前記広告グループに割り当てられる所定の予算金データまたは所定の限界クリック数データを記録し、
前記動作制御ユニットは、前記検索リスト順に対する前記検索者のクリック選択によって発生する課金費用の累積費用情報と前記予算金データとを比較するか、前記検索リスト順に対する前記検索者のクリック選択によって発生するクリック数の累積クリック数情報と前記限界クリック数データとを比較することを特徴とする請求項１５に記載の露出管理システム。
【誤訳訂正２】
【訂正対象書類名】明細書
【訂正対象項目名】００１３
【訂正方法】変更
【訂正の内容】
【００１３】
また、前記目的を達成するための技術的構成として、検索リスト順の露出管理システムは、前記検索リスト順の表示と関連する露出情報を記録するための広告レコードと、一つ以上の前記広告レコードを連関する広告グループと、前記広告グループに所定の広告終了の条件を記録する広告条件入力ユニットと、検索者の検索の要請に応じて、前記露出情報に基づく所定の検索リスト順を前記検索者に提供する結果提供ユニットと、前記提供された検索リスト順に対する前記検索者のクリック選択を受信し、前記クリック選択と連関して生成された所定の広告執行情報を前記広告グループに記録する執行情報生成ユニットと、前記記録された広告執行情報と前記広告終了の条件とを比較し、前記広告執行情報が前記広告終了の条件を満足する場合、前記広告グループと連関する前記広告レコードによる検索リスト順の提供を中断させる動作制御ユニットと、を含むことを特徴とする。
【誤訳訂正３】
【訂正対象書類名】明細書
【訂正対象項目名】００１７
【訂正方法】変更
【訂正の内容】
【００１７】
露出管理システム１００は、広告行為のための所定の広告条件を制御するユニット階層を階層的な構造(ピラミッド構造)に組織することによって、アドバタイザー１３０の広告行為が体系的に管理されるようにするユニットである。ここで、ユニット階層は、広告条件を段階別に実現させるための構造体であり、広告管理が行われる規模、広告管理の業務の性格などによって、最上のアドバタイザー口座、キャンペーン、広告グループ、及び最下の広告レコードなどに分類される。また、相違するユニット階層の間には、支配／被支配の関係が成立されて、広告条件に対する一括的且つ選択的な条件の変更が可能である。例えば、広告条件に対する広告変更の要素が発生する場合、露出管理システム１００は、関連するユニット階層の広告条件が一括的に変更されるように調整するが、広告変更の要素が発生するユニット階層の位置を識別し、識別されたユニット階層と被支配の関係にあるユニット階層でのみ、選択的に前記変更の要素が反映されるように制限することができる。これと関連する詳細な説明は後述する。
【誤訳訂正４】
【訂正対象書類名】明細書
【訂正対象項目名】００２２
【訂正方法】変更
【訂正の内容】
【００２２】
図２は、本発明によるユニット階層を組職化する露出管理システムの具体的な階層構造を説明するための図である。
【誤訳訂正５】
【訂正対象書類名】明細書
【訂正対象項目名】００２３
【訂正方法】変更
【訂正の内容】
【００２３】
上述したように、ユニット階層は、記録される広告条件の業務の性格によって分類されることができ、露出管理システム１１０として組職される単位階層の数は、システムの環境を考慮した本システムの運営者によって柔軟に決定されることができる。図２における露出管理システム１００は、広告フィールド２１１、広告グループ２１２、キャンペーン２１３、アドバタイザー口座２１４などの４個の単位階層に区分されることを例示している。
【誤訳訂正６】
【訂正対象書類名】明細書
【訂正対象項目名】００２４
【訂正方法】変更
【訂正の内容】
【００２４】
まず、広告フィールド２１１は、検索リスト順の抽出、及び抽出された検索リスト順が表示される検索画面上の広告露出位置に関連する露出情報の記録のためのユニットであって、特定された検索エンジン１１０での検索リスト順の表示が具現されるようにするユニットである。即ち、広告フィールド２１１は、検索リスト順が表示される検索エンジン１１０に対する識別情報を含み、検索リスト順の抽出の原因になるキーワード情報、及び広告露出位置と関連する等級順位情報を保持することになる。ここで、検索エンジン１１０は、広告媒体の一種であり、アドバタイザー１３０と関連する検索リスト順が検索の結果として表示され、検索者１２０に広告の効果が誘発されるようにすることによって、広告フィールド２１１は、検索エンジン１１０に接続する主な検索者１２０の性向（地域、年齢、性別）によって抽出される検索リスト順が相違であるように設定して、広告効果の極大化を図ることとなる。また、広告フィールド２１１は、表示される検索リスト順の広告露出位置による検索者１２０の接続連結の頻度及び単位クリック費用などを考慮して、設定された広告費用が許容する最適の広告露出位置に検索リスト順が表示される等級順位情報を決定することになる。
【誤訳訂正７】
【訂正対象書類名】明細書
【訂正対象項目名】００２５
【訂正方法】変更
【訂正の内容】
【００２５】
広告グループ２１２は、一つ以上の広告フィールド２１１を連関し、検索リスト順が表示される期間に関する広告持続情報を記録するためのユニットである。即ち、広告グループ２１２は、検索リスト順が広告媒体に露出される時間の範囲に対する制御のためのものであって、例えば、検索リスト順の露出が開始される開始日及び終了される終了日、一日中の露出許容時間帯などに関する情報を制御することになる。特に、広告グループ２１２は、検索リスト順の表示の許容に関する選択情報（ＯＮ／ＯＦＦ）をさらに含み、例えば、アドバタイザー１３０の選択に応じて、表示の許容をしない場合（ＯＦＦ選択）、該当広告グループ２１２と連関する広告フィールド２１１による検索リスト順の抽出は、全て中止されるように制御する。即ち、広告グループ２１２は、被支配の関係にある全ての広告フィールド２１１に対する広告の開始または中止を一括的に制御することができ、これにより階層的な広告管理が具現されるようにすることができる。
【誤訳訂正８】
【訂正対象書類名】明細書
【訂正対象項目名】００２６
【訂正方法】変更
【訂正の内容】
【００２６】
キャンペーン２１３は、一つ以上の広告グループ２１２を連関し、検索リスト順が表示される露出対象に関する選定情報を記録するためのユニットである。即ち、キャンペーン２１３は、アドバタイザー１３０が達成しようとする広告の目的、発生するものと予測される広告の効果などを考慮して、検索リスト順の露出されるべき対象を特定する役割を果たす。ここで、選定情報は、露出の対象になる地域、年齢、性別、チャンネルなどに関する情報を含み、検索者の地域、年齢、性別などによって、アドバタイザー１３０の検索リスト順が選別的に表示されるようにすることができる。特に、キャンペーン２１３によって特定されるチャンネルは、検索リスト順が表示される検索エンジン１１０に対する分野をさらに細分化するためのものであって、例えば、インターネット検索サーバ（ポータルサイト）、電子商取引サーバ、コミュニティーサーバなどのパートナーサイトに対する特定を可能にする。本実施形態では、チャンネルによる広告媒体の特定としてオンライン広告媒体に限定して説明しているが、これは、説明の便宜のためのものであって、放送広告媒体、刷り物広告媒体、イベントスポンサ媒体などのオフライン広告媒体に対しても特定が可能である。キャンペーン２１３により特定されたチャンネルは、被支配の関係にある広告グループ２１２または広告フィールド２１１に影響が反映され、検索リスト順が露出される検索エンジン１１０を前記チャンネルに対応する所定のオンライン広告媒体に限定させている。例えば、キャンペーン２１３で特定されるチャンネルがインターネット検索サーバに限定される場合、広告フィールド２１１により抽出される検索リスト順は、前記インターネット検索サーバの一種である‘Ｎａｖｅｒ検索エンジン'、‘知識ｉＮ検索エンジン’などに限定されて表示されるように制御される。
【誤訳訂正９】
【訂正対象書類名】明細書
【訂正対象項目名】００２７
【訂正方法】変更
【訂正の内容】
【００２７】
アドバタイザー口座２１４は、一つ以上のキャンペーン２１３を連関し、検索リスト順の表示と関連する金額情報を記録するためのユニットである。即ち、アドバタイザー口座２１４は、アドバタイザー１３０のログイン情報、決済情報を含んでおり、被支配の関係にあるキャンペーン２１３、広告グループ２１２、及び広告フィールド２１１で執行される広告の費用に対して、アドバタイザー１３０のログイン識別を通じて所定の課金処理が行われるようにする。アドバタイザー口座２１４に記録される決済情報は、下位ユニット階層で使用される予算金情報と関連し、アドバタイザー１３０の選択によって、所定の比率として各キャンペーン２１３または各ユニット階層に割り当てられる。
【誤訳訂正１０】
【訂正対象書類名】明細書
【訂正対象項目名】００２８
【訂正方法】変更
【訂正の内容】
【００２８】
本発明の露出管理システム１００は、特定の検索エンジン１１０に対するアドバタイザー１３０の検索リスト順の表示が、各ユニット階層に含まれる広告条件によって体系的に管理されるようにするが、支配関係に位置するユニット階層の広告条件に対する変更が、下位ユニット階層の広告条件に影響が反映されるようにして、一括的な広告属性の調整を可能にする。
【誤訳訂正１１】
【訂正対象書類名】明細書
【訂正対象項目名】００３１
【訂正方法】変更
【訂正の内容】
【００３１】
本発明の露出管理システム３００は、広告レコード３１０、広告グループ３２０、広告条件入力ユニット３３０、結果提供ユニット３４０、執行情報生成ユニット３５０、及び動作制御ユニット３６０を含む。
【誤訳訂正１２】
【訂正対象書類名】明細書
【訂正対象項目名】００３２
【訂正方法】変更
【訂正の内容】
【００３２】
まず、広告レコード３１０は、検索リスト順の表示と関連する露出情報を記録するためのユニットであって、アドバタイザー１３０に関する簡略情報である検索リスト順を所定の検索者１２０に表示する一連の過程、例えば、検索リスト順の抽出、検索エンジン１１０への検索リスト順の表示、検索リスト順が表示される検索エンジン１１０の特定などに関する露出情報を保持する。このような露出情報は、所定契約関係にあるアドバタイザー１３０により設定され、これによって検索リスト順が表示されるようにする広告条件をアドバタイザー１３０が能動的に制御することができる。特に、本実施形態の露出情報は、検索リスト順の表示時間帯域に関する情報、検索リスト順の露出対象に関する情報、検索者１２０の許容クリック数に関する情報を含み、検索リスト順の表示に関するより詳細的な制御の調整を可能にする。
【誤訳訂正１３】
【訂正対象書類名】明細書
【訂正対象項目名】００３５
【訂正方法】変更
【訂正の内容】
【００３５】
また、検索者１２０の許容クリック数に関する情報は、検索リスト順に対するクリック選択によってアドバタイザー１３０に付加される広告費用に対する限定のためのものであって、例えば、チャンネル(検索エンジン１１０)別に執行される広告費用が、既に設定されている広告の予算金を超えないようにすることができる。これは、検索者１２０が特定の検索リスト順に対してクリック選択をすることによって、検索リスト順に含まれる単位クリック費用に関する情報に基づいて、１回の広告費用が算出されるということに起因するものである。即ち、アドバタイザー１３０は、特定チャンネルに割り当てられる広告予算金を考慮して、該当チャンネルで所定期間発生するものと予想される許容クリック数を決定し、露出情報として入力することになる。その他にも、許容クリック数の設定は、アドバタイザー１３０が販売する商品の数、またはクリック選択後に実際の販売につながるクリック数の比率などを考慮して行われることができる。例えば、アドバタイザー１３０が販売する商品の数が１００個であり、クリック数の１０％が実際の販売につながるクリック数の比率であると仮定すると、許容クリック数を１，０００(＝１００／０.１)に設定することができる。
【誤訳訂正１４】
【訂正対象書類名】明細書
【訂正対象項目名】００３６
【訂正方法】変更
【訂正の内容】
【００３６】
広告グループ３２０は、一つ以上の広告レコード３１０を連関するユニットであって、例えば、同一のアドバタイザー１３０の検索リスト順を露出情報として保有している広告レコード３１０をグルーピングし、広告グループ３２０を形成する。広告レコード３１０を連関付ける広告グループ３２０の数は、アドバタイザー１３０別に一つであっても良く、または広告の行為が行われる商品の種類（例えば、三星電子の冷蔵庫、三星電子のカメラ）、広告の目的（例えば、三星電子の地域別特別セール）などを考慮して、一つのアドバタイザー１３０に複数の広告グループ３２０が決定されても良い。
【誤訳訂正１５】
【訂正対象書類名】明細書
【訂正対象項目名】００３７
【訂正方法】変更
【訂正の内容】
【００３７】
広告条件入力ユニット３３０は、広告グループ３２０に所定の広告終了の条件を記録するユニットであって、アドバタイザー１３０の意図通り、各パートナーサイト３１５における検索リスト順の表示が制御されるように、所定の制限的な広告条件を記録する役割を果たす。ここで、広告終了の条件は、広告グループ３２０に割り当てられる予算金データまたは限界クリック数データであっても良く、広告グループ３２０に連関する広告レコード３１０で執行された広告費用の累計または発生する単位クリック数の総数が、前記設定された予算金データまたは限界クリック数データに達する場合、広告の中止（検索リスト順の表示遮断）が行われるようにする制限条件を意味することにしても良い。このような広告終了の条件は、マーケティング広告の戦略によるアドバタイザー１３０により入力され、広告条件入力ユニット３３０は、入力された広告終了の条件を広告グループ３２０別に保持する。なお、広告条件入力ユニット３３０は、広告終了の条件として、広告レコード３１０別に広告終了の条件を記録し、広告終了の条件を満足する特定の一つの広告レコード３１０が広告を中止するようにして、広告グループ３２０単位の広告管理だけではなく、広告レコード３１０単位の広告の管理も可能にする。
【誤訳訂正１６】
【訂正対象書類名】明細書
【訂正対象項目名】００３８
【訂正方法】変更
【訂正の内容】
【００３８】
結果提供ユニット３４０は、検索者１２０の検索の要請に応じて、露出情報に基づく所定の検索リスト順を検索者１２０に提供するユニットである。即ち、結果提供ユニット３４０は、検索の要請が発生するパートナーサイト３１５を識別し、識別されたパートナーサイト３１５と連関する広告レコード３１０の中で、検索の要請のために入力されたキーワードを露出情報として保有している広告レコード３１０を認知する役割を果たす。上述したように、広告レコード３１０の露出情報は、抽出の原因になるキーワードに関する情報を記録し、結果提供ユニット３４０は、認知された広告レコード３１０を参照して所定の検索情報データベース３４５から入力されたキーワードに対応する検索リスト順を抽出することになる。
【誤訳訂正１７】
【訂正対象書類名】明細書
【訂正対象項目名】００４０
【訂正方法】変更
【訂正の内容】
【００４０】
まず、図４において、検索情報データベース３４５は、キーワードの ‘三星電子'、‘サービスセンター'にそれぞれ対応する検索リスト順を保持しており、所定の広告グループ３２０に連関する複数の広告レコード３１０には、それぞれ‘(三星電子、１等位)'、‘(サービスセンター、２等位)'という露出情報を含んでいる。例えば、これらの広告レコードに対するチャンネル情報が何れも‘ネイバー'であり、検索者１２０が、検索エンジンの‘ネイバー'上に、キーワードの‘三星電子'を入力して、検索の要請を生成する場合、結果提供ユニット３４０は、検索情報データベース３４５からキーワードの‘三星電子’と対応する検索リスト順を抽出する。また、結果提供ユニット３４０は、図４のように、抽出された検索リスト順を検索画面上の広告露出位置の‘１等位'に表示させる。この時、検索リスト順を露出情報で特定する広告露出位置に表示させるために、広告レコード３１０には、所定の単位クリック費用に関する情報が含まれる。ここで、単位クリック費用は、アドバタイザー１３０から任意の費用数値を入力されるか、同一の検索語により表示される他の検索リスト順の単位クリック費用を比較し、該当広告露出位置でアドバタイザー１３０の検索リスト順が表示され得る最適の費用数値を自動設定することによって、記録される。このような単位クリック費用は、該当検索リスト順が特定の広告露出位置で表示される間には変更されず、他の検索リスト順により該当広告露出位置で表示が不可能になる場合（他の検索リスト順がより高い単位クリック費用を保有する場合）には、結果提供ユニット３４０は、前記広告レコード３１０による検索リスト順の抽出中止、または単位クリック費用の更新入力と関連する報知情報がアドバタイザー１３０に提供されるように制御する。同様に、検索者１２０によりキーワードの‘サービスセンター’が入力されると、結果提供ユニット３４０は、‘サービスセンター'と対応する検索リスト順を抽出し、抽出された検索リスト順を検索画面上の広告露出位置の‘２等位'に表示させる。
【誤訳訂正１８】
【訂正対象書類名】明細書
【訂正対象項目名】００４１
【訂正方法】変更
【訂正の内容】
【００４１】
また、図５において、検索情報データベース３４５は、パートナーサイト３１５のシステム環境によって作成された検索リスト順と、前記作成された検索リスト順の抽出の原因になるキーワードとを保持している。例えば、広告グループ３２０に連関する広告レコード３１０のチャンネル情報が、それぞれ‘ネイバー'、‘ヤフー'であり、広告レコード３１０の露出情報として、それぞれ‘(三星電子、１等位)'、‘(三星電子、３等位)が含まれる場合を仮定する。検索者１２０が、検索の要請のために、検索エンジンの‘ヤフー'に‘三星電子'を入力する場合、図５に示しているように、結果提供ユニット３４０は、ヤフー用検索リスト順を検索情報データベース３４５から抽出し、検索画面上の広告露出位置の‘３等位'に抽出された検索リスト順を、検索結果として表示させる。
【誤訳訂正１９】
【訂正対象書類名】明細書
【訂正対象項目名】００４２
【訂正方法】変更
【訂正の内容】
【００４２】
これによって、結果提供ユニット３４０は、様々なパートナーサイト３１５で発生する検索の要請に応じて、アドバタイザー１３０が所望の特定の検索リスト順を特定の広告露出位置に表示されるようにすることができる。
【誤訳訂正２０】
【訂正対象書類名】明細書
【訂正対象項目名】００４３
【訂正方法】変更
【訂正の内容】
【００４３】
執行情報生成ユニット３５０は、提供された検索リスト順に対する検索者１２０のクリック選択を受信し、クリック選択と連関して生成された所定の広告執行情報を広告グループ３２０に記録するユニットである。ここで、広告執行情報は、検索リスト順に対する検索者１２０のクリック選択によって発生する課金費用の累積費用、または表示された検索リスト順に対する検索者１２０のクリック数の累積クリック数である。即ち、執行情報生成ユニット３５０は、パートナーサイト３１５での検索リスト順の表示と関連して、有効クリック数（検索者１２０とアドバタイザー１３０との実際の接続により行われるクリック数）により発生する単位クリック費用を考慮して、広告執行情報を生成することになる。生成される広告執行情報は、所定の広告期間持続的に更新され、広告グループ３２０に記録される。
【誤訳訂正２１】
【訂正対象書類名】明細書
【訂正対象項目名】００４４
【訂正方法】変更
【訂正の内容】
【００４４】
動作制御ユニット３６０は、記録された広告執行情報と広告終了の条件とを比較し、広告執行情報が広告終了の条件を満足する場合、広告グループ３２０と連関する広告レコード３１０による検索リスト順の提供を中断させるユニットである。即ち、動作制御ユニット３６０は、検索リスト順に対する検索者１２０のクリック選択によって発生する課金費用の累積費用情報と予算金データとの到達可否、または検索リスト順に対する検索者１２０のクリック選択によって発生するクリック数の累積クリック数情報と限界クリック数データとの到達可否を確認することになる。この時、何れか一つの広告執行情報が広告終了の条件に達していることが確認される場合、動作制御ユニット３６０は、該当広告グループ３２０による広告行為が全て中止されるように制御する。これは、アドバタイザー１３０により広告の効果または商品販売の実績が十分発生したと判断される時点で、これ以上の広告行為（検索リスト順の表示）が行われないようにするものであって、アドバタイザー１３０の広告意図を最適に反映させるような広告管理を行うことができる効果が得られる。
【誤訳訂正２２】
【訂正対象書類名】明細書
【訂正対象項目名】００４５
【訂正方法】変更
【訂正の内容】
【００４５】
なお、本発明の露出管理システム３００は、広告レコード３１０に含まれる等級順位情報によって、抽出された検索リスト順を所定の広告露出位置に表示するが、特定の広告露出位置での入札方式、または該当検索リスト順の単位クリック費用及び露出対比クリック率(ＣＴＲ)を考慮する方式により、検索リスト順の抽出／表示が行われるようにすることができる。即ち、露出管理システム３００は、検索リスト順に対する様々な統計ファクター(factor)及び入札方式などを適用し、検索リスト順の抽出／表示が行われるようにすることによって、単に、単位クリック費用の大きさによって検索リスト順を抽出／表示することから招来される問題点（例えば、広告費用が持続的に増加すること）を解決することができる。
【誤訳訂正２３】
【訂正対象書類名】明細書
【訂正対象項目名】００４６
【訂正方法】変更
【訂正の内容】
【００４６】
まず、入札方式は、検索リスト順が表示される検索画面上の露出領域を所定の単位表示ゾーンに区分し、単位表示ゾーンのそれぞれに対する独立的な入札が行われるようにするものであって、例えば、広告レコード３１０に含まれる単位クリック費用を用いて入札処理が行われるようにする。ここで、単位表示ゾーンとは、一つの検索リスト順が表示される独立露出領域であり、検索者１２０が容易に認識できる位置、例えば、検索画面の最上から１等位の広告露出位置が区切られるようにすることができる。これによって、結果提供ユニット３４０は、広告レコード３１０の露出情報により特定する広告露出位置の単位表示ゾーンでの入札処理を通じて、抽出された検索リスト順と関連する単位クリック費用が最大になる場合のみ、前記単位表示ゾーンで検索リスト順が表示されるように制限することができる。
【誤訳訂正２４】
【訂正対象書類名】明細書
【訂正対象項目名】００４７
【訂正方法】変更
【訂正の内容】
【００４７】
例えば、等位順位情報が‘２等位'であり、単位クリック費用が‘５００ウォン'である検索リスト順は、検索者１２０の認知度が二番目に高い単位表示ゾーン（検索画面において、二番目の上位に位置する単位表示ゾーン）に対して、入札参加した他の検索リスト順の単位クリック費用が何れも‘５００ウォン'未満の場合、検索の要請に応じて、前記特定された単位表示ゾーンで表示される。即ち、入札方式は、広告露出位置の‘２等位'の単位表示ゾーンに入札参加した検索リスト順の中で、最大の単位クリック費用を保有した一つの検索リスト順が表示されるようにする方式である。
【誤訳訂正２５】
【訂正対象書類名】明細書
【訂正対象項目名】００４８
【訂正方法】変更
【訂正の内容】
【００４８】
また、他の実施形態として、結果提供ユニット３４０は、特定された単位表示ゾーンで抽出された検索リスト順を表示するために必要な単位クリック費用を、柔軟に調整／変更できるようにすることも考えられる。例えば、前記の例において、入札参加した他の検索リスト順の単位クリック費用が‘５５０ウォン'を超える場合、結果提供ユニット３４０は、初期単位クリック費用の‘５００ウォン'を‘６００ウォン'に自動調整して、該当単位表示ゾーンでの検索リスト順の表示が保持されるようにすることができる。
【誤訳訂正２６】
【訂正対象書類名】明細書
【訂正対象項目名】００４９
【訂正方法】変更
【訂正の内容】
【００４９】
一方、結果提供ユニット３４０は、広告レコード３１０に含まれる単位クリック費用に関する情報、及び所定期間算出された露出情報の検索リスト順に対する露出対比クリック率（ＣＴＲ）によって、検索リスト順の抽出または表示を行うことができる。これは、広告レコード３１０の露出情報に含まれる等級順位情報と関係なく、アドバタイザー１３０により設定される単位クリック費用と検索リスト順に対する人気度を考慮して、検索リスト順の抽出／表示が行われるようにするものである。例えば、具体的な実施形態では、単位クリック費用と露出対比クリック率との演算組合せを行い、算出された所定の値に対する比較によって、検索リスト順が抽出される優先順位、及び広告露出位置が決定されるようにする。例えば、以前の所定期間の露出対比クリック率（ＣＴＲ）が‘０.７'であり、単位クリック費用が‘５００ウォン'である検索リスト順は、演算組合せにより‘３５０'という値を算出することになり、抽出の原因として、同一のキーワードに対応する他の検索リスト順の演算組合せが行われた値が何れも‘３５０' 未満の場合、前記検索リスト順は、一番目に抽出され、認知度に優れた広告露出位置の‘１等位'に決定される。
【誤訳訂正２７】
【訂正対象書類名】明細書
【訂正対象項目名】００５５
【訂正方法】変更
【訂正の内容】
【００５５】
次に、露出管理システム３００は、一つ以上の広告レコード３１０を広告グループ３２０に連関させる（Ｓ６３０）。本段階（Ｓ６３０）は、同一のアドバタイザー１３０と関連する検索リスト順に対する情報を露出情報として保有している広告レコード３１０に対するグルーピング過程であって、これによって、特定のアドバタイザー１３０と関連する検索リスト順に対する階層的な広告管理を可能にする。以下、図７から９を参照して、広告レコード３１０に対する広告グループ３２０の連関について説明する。
【誤訳訂正２８】
【訂正対象書類名】明細書
【訂正対象項目名】００６１
【訂正方法】変更
【訂正の内容】
【００６１】
また、露出管理システム３００は、入力されたキーワードと関連する広告レコード３１０を参照して、抽出された検索リスト順が表示されるように制御する（Ｓ６５０）。本段階（Ｓ６５０）は、識別された広告レコード３１０により抽出された検索リスト順を、検索の要請が発生された検索エンジン１１０に検索の結果として提供し、検索者１２０に表示されるようにする過程である。この時、検索者１２０に表示される検索リスト順の位置は、アドバタイザー１３０が要求する広告露出位置に限定して表示され、これのために、検索情報データベース３４５には、広告露出位置を特定する等級順位情報が含まれる。このような等級順位情報は、各広告レコード３１０において、検索リスト順の抽出によって発生する広告費用、または広告露出位置によって発生するものと予想される広告の効果などを考慮して、アドバタイザー１３０から入力される。
【誤訳訂正２９】
【訂正対象書類名】明細書
【訂正対象項目名】００６２
【訂正方法】変更
【訂正の内容】
【００６２】
即ち、露出管理システム３００は、広告露出位置での所定入札処理を遂行し、入札処理の結果によって抽出された検索リスト順の表示が可能であるか否かを判断することになる（Ｓ６６０）。ここで、入札処理は、抽出された検索リスト順が、アドバタイザー１３０が所望の広告露出位置に表示されることができるかどうかを判断するものであって、上述したように、広告露出の位置別に所定の単位クリック費用の大きさを比較する入札方式と、単位クリック費用及び露出対比クリック率（ＣＴＲ）を考慮して、抽出手順／広告露出位置を決定する方式とに区分される。
【誤訳訂正３０】
【訂正対象書類名】明細書
【訂正対象項目名】００６４
【訂正方法】変更
【訂正の内容】
【００６４】
図８は、本発明による単位クリック費用及び露出対比クリック率を考慮して、入札処理を行う方法の一例を示す作業流れ図である。
【誤訳訂正３１】
【訂正対象書類名】明細書
【訂正対象項目名】００６５
【訂正方法】変更
【訂正の内容】
【００６５】
図８に示しているように、露出管理システム３００は、検索の要請のために入力されたキーワードに対応して、抽出された一つ以上の検索リスト順の中で、第１の単位クリック費用及び露出対比クリック率（ＣＴＲ）に基づいて、所定個の検索リスト順を選別する（Ｓ８５１）。これのために、広告レコード３１０は、抽出された検索リスト順の表示と連関する第１の単位クリック費用及び露出対比クリック率（ＣＴＲ）に関する情報を含み、露出管理システム３００は、前記第１の単位クリック費用及び露出対比クリック率（ＣＴＲ）を、例えば、演算組合せにより算出された値の大きさによって、順次、検索リスト順を抽出／表示する。即ち、本段階（Ｓ８５１）における露出管理システム３００は、検索リスト順の抽出／表示において、広告の収益性に関する単位クリック費用、及び検索リスト順の人気度に関する露出対比クリック率（ＣＴＲ）を併せて考慮して、検索リスト順に対する優先抽出の手順及び広告露出の位置を決定する。ここで、第１の単位クリック費用とは、検索者１２０のクリック選択によって発生する最大の許容広告費用を意味し、露出対比クリック率（ＣＴＲ）とは、所定以前の期間に検索リスト順が表示される回数及びクリック選択により実際に接続につながる回数の比率を意味する。また、抽出される検索リスト順の個数は、検索リスト順が表示される検索画面上の占有領域を考慮した本システムの運営者によって、柔軟に決定することができる。
【誤訳訂正３２】
【訂正対象書類名】明細書
【訂正対象項目名】００６６
【訂正方法】変更
【訂正の内容】
【００６６】
また、露出管理システム３００は、選別された検索リスト順を、第１の単位クリック費用及び露出対比クリック率（ＣＴＲ）を考慮して、整列させる（Ｓ８５２）。本段階（Ｓ８５２）は、演算組合せにより算出された値によって抽出される検索リスト順を検索画面の表示の状態で整列されるようにする過程であって、例えば、算出された値が一番高い検索リスト順を、検索者１２０の認知度が最も優秀な検索画面の最上に位置させる。これによって、露出管理システム３００は、検索リスト順の抽出において、高い広告費用を支払う意思があるアドバタイザー１３０の検索リスト順、または、以前、高い人気度によって、露出対比クリック率（ＣＴＲ）の高い検索リスト順が、優先的に検索者１２０に表示されるようにすることができる。
【誤訳訂正３３】
【訂正対象書類名】明細書
【訂正対象項目名】００６８
【訂正方法】変更
【訂正の内容】
【００６８】
従って、単位クリック費用及び露出対比クリック率（ＣＴＲ）の演算組合せによって所定個数の検索リスト順を抽出し、所定の広告露出位置が決定されるようにすることによって、検索リスト順による収益誘発の効果及び検索リスト順と連関するアドバタイザー１３０のウェブサイトに対する人気度を反映する検索リスト順の表示が行われるようにすることができる。
【誤訳訂正３４】
【訂正対象書類名】明細書
【訂正対象項目名】００７０
【訂正方法】変更
【訂正の内容】
【００７０】
図９に示しているように、露出管理システム３００は、広告露出位置を一つ以上の単位表示ゾーンに区切る（Ｓ９６１）。本段階（Ｓ９６１）は、検索者１２０のキーワードの入力に応じて抽出される検索リスト順が、検索画面上に配置される位置構図を決定する過程であって、例えば、発生するクリック数などを考慮した所定の位置定義ユニット（図示せず）により、検索画面の最上端から所定個数の単位表示ゾーンを定義する。このような単位表示ゾーンの区切りは、該当単位表示ゾーン別に、独立的な入札を行い、アドバタイザー１３０が所望の広告露出位置にのみ検索リスト順が露出されるようにするためのものである。
【誤訳訂正３５】
【訂正対象書類名】明細書
【訂正対象項目名】００７２
【訂正方法】変更
【訂正の内容】
【００７２】
次に、露出管理システム３００は、識別された単位表示ゾーンと連関する所定の入札フィールドに、第１の単位クリック費用を記録する（Ｓ９６３）。本段階（Ｓ９６３）は、広告レコード３１０への単位クリック費用の入力に応じて、広告露出位置と連関する入札フィールドに、前記単位クリック費用が追加格納されるようにする過程である。入札フィールドには、該当広告露出位置での表示と関連した他の検索リスト順の第２の単位クリック費用が記録され、露出管理システム３００は、新規入力された第１の単位クリック費用、及び既存に記録された第２の単位クリック費用の大きさを比較して、一つの単位クリック費用を落札させる入札処理を行う。
【誤訳訂正３６】
【訂正対象書類名】明細書
【訂正対象項目名】００７３
【訂正方法】変更
【訂正の内容】
【００７３】
また、露出管理システム３００は、入札フィールドでの入札処理により第１の単位クリック費用が落札される場合、落札された第１の単位クリック費用と連関する検索リスト順に、識別された単位表示ゾーンでの露出権限が付与されるようにする（Ｓ９６４）。本段階（Ｓ９６４）は、入札フィールドに記録される単位クリック費用の中で、アドバタイザー１３０の検索リスト順と連関した第１の単位クリック費用が一番大きい数値と判断される場合、第１の単位クリック費用の検索リスト順を該当単位表示ゾーンに表示されるようにする過程である。即ち、露出管理システム３００は、入札フィールドへの第１の単位クリック費用の記録に連動して入札処理を行い、入札フィールドに記録される一番大きい数値を保有する単位クリック費用を落札させ、該当単位表示ゾーンでの露出の権限が付与されるようにする。
【誤訳訂正３７】
【訂正対象書類名】明細書
【訂正対象項目名】００８６
【訂正方法】変更
【訂正の内容】
【００８６】
また、本発明は、表示された検索リスト順に対する検索者１２０のクリック選択によって、所定の広告費用を発生させるＣＰＣ（Ｃｏｓｔ  Ｐｅｒ  Ｃｌｉｃｋ）課金方式を採択している。これのために、本発明の広告レコード３１０は、所定の単位クリック費用に関する情報を含む。
【誤訳訂正３８】
【訂正対象書類名】明細書
【訂正対象項目名】００９０
【訂正方法】変更
【訂正の内容】
【００９０】
また、露出管理システム３００は、クリック選択に相応して、単位クリック費用情報を課金情報として広告グループ３２０に記録する（Ｓ１２０２）。本段階（Ｓ１２０２）は、ＣＰＣ課金方式を具現する過程であって、検索者１２０の検索リスト順に対するクリック選択によって、該当検索リスト順と連関する単位クリック費用が、広告費用を算出することになる。また、算出された広告費用は、広告グループ３２０に所定期間累積記録され、露出管理システム３００は、所定時点で累積された広告費用がアドバタイザー１３０に課金処理されるように制御する。
【誤訳訂正３９】
【訂正対象書類名】明細書
【訂正対象項目名】０１０２
【訂正方法】変更
【訂正の内容】
【０１０２】
続いて、露出管理システム３００は、記録された広告執行情報が広告終了の条件を満足するかどうかを判断する（Ｓ１４６０）。本段階（Ｓ１４６０）は、広告執行情報である累積費用情報が、広告執行情報である予算金データに達しているか否かを判断する過程であって、検索者１２０のクリック選択による単位クリック費用の累積費用が、アドバタイザー１３０が設定した予算金に接近しているかどうかを確認することになる。また、本段階（Ｓ１４６０）における露出管理システム３００は、広告執行情報である累積クリック数情報が、広告執行情報である限界クリック数に達しているか否かを判断し、検索者１２０のクリック選択による有効クリック数の累積クリック数が、アドバタイザー１３０が設定した限界クリック数に接近しているかどうかを確認することになる。これによって、アドバタイザー１３０が設定した広告終了の条件によって、検索リスト順の表示終了の時点を柔軟に調整する効果が得られる。
【誤訳訂正４０】
【訂正対象書類名】明細書
【訂正対象項目名】０１１７
【訂正方法】変更
【訂正の内容】
【０１１７】
【図１】本発明による露出管理システムの動作の概念を簡略に説明するための図である。
【図２】単位階層を組職化する露出管理システムの具体的な階層構造を説明するための図である。
【図３】本発明の望ましい実施形態による露出管理システムを示す構成図である。
【図４】本発明によるパートナーサイトそれぞれに抽出が行われる検索リスト順を説明するための図である。
【図５】本発明によるパートナーサイトそれぞれに抽出が行われる検索リスト順を説明するための図である。
【図６】本発明の望ましい実施形態による露出管理方法を具体的に示す作業流れ図である。
【図７】本発明による広告グループを連関させる方法の一例を示す作業流れ図である。
【図８】単位クリック費用及び露出対比クリック率を考慮し、入札処理を行う方法の一例を示す作業流れ図である。
【図９】特定広告露出位置での入札方式によって表示される検索リスト順を決定する方法の一例を示す作業流れ図である。
【図１０】本発明による検索リスト順の露出対象を限定する方法の一例を示す作業流れ図である。
【図１１】本発明による広告レコードの属性を変更処理する方法の一例を示す作業流れ図である。
【図１２】本発明による広告費用を算出する方法の一例を示す作業流れ図である。
【図１３】検索リスト順が表示されるパートナーサイトを特定する方法の一例を示す作業流れ図である。
【図１４】本発明による広告終了の条件に基づいて、検索リスト順の抽出を遮断する露出広告方法の作業流れ図である。
【図１５】本発明による露出管理方法を遂行する汎用コンピュータ装置の内部ブロック図である。
【誤訳訂正４１】
【訂正対象書類名】図面
【訂正対象項目名】図２
【訂正方法】変更
【訂正の内容】
【図２】
2008500630.tif 000001
【誤訳訂正４２】
【訂正対象書類名】図面
【訂正対象項目名】図３
【訂正方法】変更
【訂正の内容】
【図３】
2008500630.tif 000002
【誤訳訂正４３】
【訂正対象書類名】図面
【訂正対象項目名】図８
【訂正方法】変更
【訂正の内容】
【図８】
2008500630.tif 000003
【誤訳訂正４４】
【訂正対象書類名】図面
【訂正対象項目名】図９
【訂正方法】変更
【訂正の内容】
【図９】
2008500630.tif 000004
【誤訳訂正４５】
【訂正対象書類名】図面
【訂正対象項目名】図１２
【訂正方法】変更
【訂正の内容】
【図１２】
2008500630.tif 000005